(57)【特許請求の範囲】
【請求項１】
基管の管端部に段部を介して拡径形成された管受口部であって、該受口部の内周においては先端部にゴム輪装着溝が形成されており、奥端部には緩衝リング装着溝が形成されており、該ゴム輪装着溝にはゴム輪が装着され、該緩衝リング装着溝には筒状体であって外側部分には外端に向かって径が拡大するテーパー部分と、該テーパー部分の外側に延設される折返し部分とが形成されており、ゴム、エラストマーまたは可撓性プラスチックを材料とする緩衝リングが装着され、該緩衝リングの奥端は該受口部奥端の段部内側段面に当接しており、該緩衝リングから該基管にかけて内周に段差がないように設定されている管受口部に管を軸方向に摺動可能に挿着し、該管を該緩衝リングのテーパー部分に支持せしめたことを特徴とする管接続構造。
【請求項２】
基管の管端部に段部を介して拡径形成された管受口部であって、該受口部の内周においては先端部にゴム輪装着溝が形成されており、奥端部には緩衝リング装着溝が形成されており、該ゴム輪装着溝にはゴム輪が装着され、該緩衝リング装着溝には筒状体であって外側部分には外端に向かって径が拡大するテーパー部分と、該テーパー部分に延設される急傾斜テーパー部分とが形成されており、ゴム、エラストマーまたは可撓性プラスチックを材料とする緩衝リングが装着され、該緩衝リングの奥端は該受口部奥端の段部内側段面に当接しており、該緩衝リングから該基管にかけて内周に段差がないように設定されている管受口部に管を軸方向に摺動可能に挿着し、該管を該緩衝リングのテーパー部分に支持せしめたことを特徴とする管接続構造。
【発明の詳細な説明】
【０００１】
【発明の属する技術分野】
本発明は例えば排水ますにおいて、排水管を接続するために設けられる管受口部に装着される緩衝リング、および該緩衝リングを装着した管受口部に関するものである。
【０００２】
【従来の技術】
図１０に示すように、例えば排水ます(1) はます本体部(2) と、該ます本体部(2) 上側開口部に設けられる点検筒(9) の受口部(3) と、該ます本体部(2) の側周面から差出されている本流管(10,10) の受口部(4) および挿口部(5) と、更に該ます本体部(2) の側周面から差出されている枝管(11)の受口部(6) とからなる。
上記排水ます(1) にあっては、地震等の地殻変動によって本流管(10)に奥方向の外力（押込み力）が及ぼされ、該本流管(10)が受口部(4) よります本体部(2) 内に押込まれてしまう場合がある。このような場合には該本流管(10)が干渉して点検筒(9) から排水ます(1) 内部を点検、清掃するすることが困難になる。
図１１に示すように該本流管(10)は該受口部(4) のゴム輪装着溝(7) に装着されているゴム輪(12)を介して該受口部(4) 内に摺動可能に接続されているが、従来、上記本流管(10)がます本体部(2) 内に押し込まれるのを防止するために、該受口部(4) の奥端段面(8) と該本流管(10)の接続端の間に円筒状ゴムチューブ(13)を介在させる構成が提供されている。
【０００３】
該ゴムチューブ(13)は外面に周方向溝(13A) の複数条が形成されることによって軸方向に伸縮可能とされており、該本流管(10)に押込み力が及ぼされると、該ゴムチューブ(13)は軸方向に収縮変形して該外力を吸収し、該本流管(10)がます本体部(2) 内に押込まれるのを防止する。
【０００４】
【発明が解決しようとする問題点】
上記従来構成では、ゴムチューブの軸方向の縮小巾が小さいので、大きな外力が及ぼされた場合には該外力を完全に吸収することが出来ず、管あるいは受口部が破損するおそれがあった。
【０００５】
【課題を解決するための手段】
本発明は上記従来の課題を解決するための手段として、基管(14A) の管端部に段部(17)を介して拡径形成された管受口部(16)であって、該受口部(16)の内周においては先端部にゴム輪装着溝(18)が形成されており、奥端部には緩衝リング装着溝(19)が形成されており、該ゴム輪装着溝(18)にはゴム輪(20)が装着され、該緩衝リング装着溝(19)には筒状体であって外側部分には外端に向かって径が拡大するテーパー部分(23)と、該テーパー部分(23)の外側に延設される折返し部分(24)とが形成されており、ゴム、エラストマーまたは可撓性プラスチックを材料とする緩衝リング(21)が装着され、該緩衝リング(21)の奥端は該受口部(16)奥端の段部(17)内側段面(17A) に当接しており、該緩衝リング(21)から該基管(14A) にかけて内周に段差がないように設定されている管受口部(16)に管(10)を軸方向に摺動可能に挿着し、該管(10)を該緩衝リング(21)のテーパー部分(23)に支持せしめた管接続構造を提供するものである。
また基管(14A) の管端部に段部(17)を介して拡径形成された管受口部(16)であって、該受口部(16)の内周においては先端部にゴム輪装着溝(18)が形成されており、奥端部には緩衝リング装着溝(19)が形成されており、該ゴム輪装着溝(18)にはゴム輪(20)が装着され、該緩衝リング装着溝(19)には筒状体であって外側部分には外端に向かって径が拡大するテーパー部分と、該テーパー部分に延設される急傾斜テーパー部分(44)とが形成されており、ゴム、エラストマーまたは可撓性プラスチックを材料とする緩衝リング(41)が装着され、該緩衝リング(41)の奥端は該受口部(16)奥端の段部(17)内側段面(17A) に当接しており、該緩衝リング(41)から該基管(14A) にかけて内周に段差がないように設定されている管受口部(16)に管(10)を軸方向に摺動可能に挿着し、該管(10)を該緩衝リング(41)のテーパー部分(44)に支持せしめた管接続構造を提供するものである。
【０００６】
【作用】
該管受口部(16)には管(10)が軸方向に摺動可能に挿着される。該管(10)に押込み力が及ぼされた場合、該管(10)の奥端が該緩衝リング(21)のテーパー部分(23)に衝突してこれを奥側に押圧する。該テーパー部分(23)は該緩衝リング(21)の外端に向かって径が拡大しているから、該管(10)に押された時径が広がる方向に円滑に弾性的に変位して、該衝突力を緩和する。この際、該折返し部分は該テーパー部分(23)あるいは急傾斜テーパー部分(44)に剛性を与え、該テーパー部分(23)や急傾斜テーパー部分(44)の該衝突力に対する抵抗力を向上させる。更に該緩衝リング(21)から該基管(14A) にかけて内周に段差がないように設定されているから水の円滑な流れが確保される。
【０００７】
【発明の実施の形態】
本発明の一実施例を図１〜図８に示す。図１に示す排水ます(1) は、ます本体部(2) と、該ます本体部(2) 上側開口部に設けられる点検筒の受口部(3) と、該ます本体部(2) の側周面から差出されている本流管(10,10) の受口部(14)および挿口部(5) と、更に該ます本体部(2) の側周面から差出されている枝管(11)の受口部(6) とからなる。該本流管(10)の受口部(14)においては、図２に示すように基管(14A) からは、段部(17)を介して管受口部(16)が拡径形成されている。該管受口部(16)の内周において、先端部にはゴム輪装着溝(18)が形成されており、奥端部には巾広の緩衝リング装着溝(19)が形成されており、該緩衝リング装着溝(19)の奥端面は該段部(17)内側の段面(17A) である。該管受口部(16)の内周において、該ゴム輪装着溝(18)よりも先端側は外側に向けて径を拡大するテーパー面(16A) とされ、また該ゴム輪装着溝(18)と該緩衝リング装着溝(19)との間は内側に凸な凸面(16B) とされている。
【０００８】
該管受口部(16)のゴム輪装着溝(18)にはゴム輪(20)が装着され、該緩衝リング装着溝(19)には緩衝リング(21)が装着されている。本実施例の緩衝リング(21)は図２および図３に示すように筒状体であって外側部分(21A) には外端に向かって径が拡大するテーパー部分(23)が形成されており、該テーパー部分(23)の外端には剛性部分として外周側に折返された折返し部分(24)が形成されており、奥側部分(21B) の奥端には段面略Ｈ形のフランジ部(25)が形成されており、該フランジ部(25)の内周側には充填リング(26)が充填されている。
【０００９】
該緩衝リング(21)は該管受口部(16)の緩衝リング装着溝(19)に装着された状態で、該緩衝リング(21)のフランジ部(25)の奥側面が該管受口部(16)内周奥端の段面(17A) に当接しており、そして該緩衝リング(21)の奥側部分(21B) の内径、該充填リング(26)の内径、および基管(14A) の内径は等しくされ、該緩衝リング(21)から基管(14A) にかけて、内周に段差がないように設定されて、水の円滑な流れを確保している。
【００１０】
該管受口部(16)には図４に示すように本流管(10)が挿着接続される。該本流管(10)は該挿着状態において該ゴム輪(20)と該緩衝リング(21)の折返し部分(24)と隣接するテーパー部分(23)とに支持され、該本流管(10)の軸線Ａ1 と該管受口部(16)の軸線Ａ2 とが略一致するよう芯出しされている。そして軸線Ａ1 Ａ2 方向の外力に対しては矢印イに示すように該軸線に沿って前後摺動が可能であり、軸線Ａ1 Ａ2 に対して放射方向の外力に対しては、該管受口部(16)の内周の凸面(16B) の頂点を支点として矢印ロに示すようにすりこぎ運動が可能である。
【００１１】
本実施例において、図５に示すように本流管(10)に矢印イＡに示す押込み力が及ぼされた場合、該本流管(10)は点線位置から実線位置に移動するが、該緩衝リング(21)のテーパー部分(23)は該本流管(10)に押圧され、図６に詳細に示すように実線状態から点線状態に弾性的に変形する。
このようにして該押込み力は該緩衝リング(21)のテーパー部分(23)の弾性的な変位変形によって吸収され、該本流管(10)は排水ます(1) の本体(2) 内へ押込まれることを阻止される。
なお該緩衝リング(21)の奥側部分(21B) の内径、該充填リング(26)の内径、および基管(14A) の内径は等しくされ、該緩衝リング(21)から基管(14A) にかけて、内周に段差がないように設定されているので、地殻変動により、本流管(10)が押込まれた状況であっても、水の円滑な流れをほぼ確保している。
【００１２】
図７および図８には本発明の他の実施例を示す。本実施例においては、緩衝リング(31)の外側部分(31A) の内周には、外端に向かって径が拡大するテーパー部分(33)が形成されており、該テーパー部分(33)の外端には外周側に折返された折返し部分(34)が形成されており、該折返し部分(34)は奥端側に延長されて奥側部分(31B) を覆う外筒部(35)となり、該外筒部(35)の奥端にフランジ部(36)が形成されている。
上記緩衝リング(31)は管受口部(16)の緩衝リング装着溝(19)に装着された状態で、奥端部分(31B) の奥端と外筒部(35)の奥端フランジ部(36)とがそれぞれ該管受口部(16)の内周奥端の段面(17A) に当接する。そして該緩衝リング(31)の奥端部分(31B) の内径と基管(14A) の内径とは等しくされ、該緩衝リング(31)から基管(14A) にかけて、内周に段差がないように設定されている。
【００１３】
図９には更に本発明の他の実施例を示す。本実施例の緩衝リング(41)は、前実施例の緩衝リング(21)(31)の折返し部分(24)(34)に代えて、剛性部分として急傾斜テーパー部分(44)を設けたものである。更に本発明の緩衝リングの剛性部分は肉厚を大きくすることによって設けてもよい。
【００１４】
本発明の管受口部は例えばポリ塩化ビニル、ポリエチレン、ポリプロピレン等の合成樹脂からなり、緩衝リングはゴム、エラストマー、好ましくはポリエチレン、ポリプロピレン等の可撓性のあるプラスチック、好ましくは若干硬質なゴムからなり、充填リングはゴム、エラストマー、あるいはポリエチレン、ポリプロピレン等の可撓性プラスチックからなり、望ましくは緩衝リングよりも若干軟らかい材料を使用する。
なお、本発明の管受口部分は、排水ますの本流管受口部のみならず、枝管受口部や点検筒受口部に適用されてもよい。
【００１５】
【発明の効果】
本発明では上記したように緩衝リングのテーパー部分の弾性的な変位変形によって管に及ぼされる押込み力を吸収するから、該テーパー部分の変位変形量は圧縮変形よりも大きく、大きな押込み力にも対応することが出来、また緩衝リングから基管にかけて内周に段差がないように設定されているから、水の円滑な流れが確保出来、また、地殻変動によって管が押込まれた状況にあっても水の円滑な流れがほぼ確保出来る。
【図面の簡単な説明】
図１〜図６は本発明の一実施例を示すものである。
【図１】排水ますの斜視図
【図２】管受口部分側断面図（ゴム輪および緩衝リング装着状態）
【図３】緩衝リング斜視図
【図４】管受口部分側断面図（本流管接続状態）
【図５】押込み力が及ぼされた場合の管受口部上半部分側断面図
【図６】緩衝リング変位変形状態の説明断面図
図７〜図８は他の実施例を示すものである。
【図７】管受口部分側断面図
【図８】緩衝リング変位変形状態の説明断面図
【図９】緩衝リングの他の実施例の側断面
【図１０】排水ますの説明斜視図
【図１１】従来例の説明部分側断面図
【符号の説明】
10          管（本流管）
14A         基管
16          管受口部
17          段部
17A         内側断面
18          ゴム輪装着溝
19          緩衝リング装着溝
20          ゴム輪
21,31,41    緩衝リング
23,33       テーパー部分
24,34       折返し部分
44          急傾斜テーパー部分
【図１】
0003926505.tif 000002
【図２】
0003926505.tif 000003
【図３】
0003926505.tif 000004
【図４】
0003926505.tif 000005
【図５】
0003926505.tif 000006
【図６】
0003926505.tif 000007
【図７】
0003926505.tif 000008
【図８】
0003926505.tif 000009
【図９】
0003926505.tif 000010
【図１０】
0003926505.tif 000011
【図１１】
0003926505.tif 000012